(57)【要約】【課題】簡便に低コストで、トラッキングアクチュエータをオープン制御で駆動する場合でも、対物レンズがトラッキング方向に正確に所望の距離だけ移動することが可能な光ディスク装置を提供することを目的とする。【解決手段】光ディスク１に対してレーザ光６を集光する対物レンズ４と、対物レンズ４を光ディスク１のトラッキング方向に移動させるトラッキングアクチュエータ３と、トラッキングアクチュエータ３を駆動するトラッキング駆動手段１３と、対物レンズ４を単位距離移動させる駆動値を調整係数として保持するトラッキングアクチュエータ移動感度調整係数記憶手段８と、トラッキングアクチュエータ移動感度調整係数記憶手段８から取り出した調整係数に基づき、駆動手段に電圧を出力させて対物レンズ４の移動制御を行うＣＰＵ９と、を具備することを特徴とする。【選択図】図１
2008262625.tif 000002
【特許請求の範囲】
【請求項１】
光ディスクに対してレーザ光を集光する対物レンズと、
前記対物レンズを前記光ディスクのトラッキング方向に移動させるアクチュエータと、
前記アクチュエータを駆動する駆動手段と、
前記対物レンズを単位距離移動させる駆動値を調整係数として保持する記憶手段と、
前記記憶手段から取り出した前記調整係数に基づき、前記駆動手段に電圧を出力させて前記対物レンズの移動制御を行う制御手段と、を具備することを特徴とする光ディスク装置。
【請求項２】
前記対物レンズを単位距離駆動し、前記対物レンズを移動させながら前記光ディスクにレーザ光を照射させ、前記光ディスクからの反射光から前記光ディスクのアドレス情報を読込み、前記対物レンズが前記単位距離に対応して実際に移動した距離を前記光ディスクのアドレス情報から検出し、前記単位距離と前記単位距離に対応して実際に移動した距離との差分から前記調整係数を算出し、前記調整係数を前記記憶手段に格納する調整手段を設けたことを特徴とする請求項１記載の光ディスク装置。
【請求項３】
前記対物レンズを単位距離駆動し、前記対物レンズを移動させながら前記光ディスクにレーザ光を照射させ、前記光ディスクからの反射光から前記光ディスクのアドレス情報を読込み、前記対物レンズが前記単位距離に対応して実際に移動した距離を前記光ディスクのアドレス情報から検出し、前記対物レンズを単位距離移動させる駆動値を、前記駆動値により実際に移動した距離で除することにより前記調整係数を算出し、前記調整係数を前記記憶手段に格納する調整手段を設けたことを特徴とする請求項１記載の光ディスク装置。
【請求項４】
前記単位距離移動させる駆動値は、
前記対物レンズが前記光ディスクの第１のアドレスに位置するときの第１のトラッキング駆動値のＤＣ成分と、
前記対物レンズが前記光ディスクの第２のアドレスに位置するときの第２のトラッキング駆動値のＤＣ成分との差分であることを特徴とする請求項３に記載の光ディスク装置。
【請求項５】
前記対物レンズは、前記第１のアドレスが位置する前記光ディスクの第１の半径上から前記第２のアドレスが位置する前記光ディスクの第２の半径上までの移動を前記駆動手段のみで行うことを特徴とする請求項４に記載の光ディスク装置。
【請求項６】
前記対物レンズの前記第１の半径上から前記第２の半径上までの移動量は、前記対物レンズを予め定めたトラック本数分トラックジャンプさせることで決定されることを特徴とする請求項５に記載の光ディスク装置。
【請求項７】
前記制御手段は、前記対物レンズを前記第１の半径上から前記第２の半径上にシークさせて、前記第１の半径と前記第２の半径との距離が所定の距離になるようにすることを特徴とする請求項６に記載の光ディスク装置。
【請求項８】
前記記憶手段は、ＥＥＰＲＯＭであることを特徴とする請求項１に記載の光ディスク装置。
【請求項９】
前記光ディスクにレーザ光を照射させ、フォーカス制御をＯＮにし、前記対物レンズを前記光ディスクの半径方向に単位距離駆動し、前記対物レンズの移動前と移動後とで前記光ディスクからの反射光から前記光ディスクのアドレス情報を読込み、前記対物レンズが前記単位距離に対応して実際に移動した距離を前記光ディスクのアドレス情報を読込み、前記単位距離と前記単位距離に対応して実際に移動した距離との差分から前記調整係数を算出し、前記調整係数を前記記憶手段に格納する調整手段を設けたことを特徴とする請求項２記載の光ディスク装置。
【請求項１０】
前記光ディスクにレーザ光を照射させ、フォーカス制御をＯＮにし、前記対物レンズを前記光ディスクの半径方向に単位距離駆動し、前記対物レンズの移動前と移動後とで前記光ディスクからの反射光から前記光ディスクのアドレス情報を読込み、前記対物レンズが前記単位距離に対応して実際に移動した距離を前記光ディスクのアドレス情報から検出し、前記対物レンズを単位距離移動させる駆動値を、前記駆動値により実際に移動した距離で除することにより前記調整係数を算出し、前記調整係数を前記記憶手段に格納する調整手段を設けたことを特徴とする請求項３記載の光ディスク装置。
【請求項１１】
光ディスクに対してレーザ光を集光する対物レンズと、
前記対物レンズが設けられたキャリッジと、
前記キャリッジを前記光ディスクのトラッキング方向に移動させるステッパと、
前記ステッパを駆動する駆動手段と、
所定の電圧を加えて前記キャリッジを移動させつつ前記光ディスクにレーザ光を照射させ、前記光ディスクからの反射光から前記キャリッジの移動始点である第１のアドレス情報と移動終点である第２のアドレス情報を読込み、前記第１のアドレス情報に対応する位置までの光ディスクの半径距離と前記第２のアドレス情報に対応する位置までの光ディスクの半径距離との差分から、前記所定の電圧を加えた際に前記キャリッジが実際に移動した距離を算出する制御手段と、を具備することを特徴とする光ディスク装置。
【請求項１２】
前記対物レンズを前記キャリッジ内で前記光ディスクのトラッキング方向に移動させるアクチュエータを備え、
前記対物レンズは、前記キャリッジ内のトラッキング方向の可動範囲における機械的中立点に常に位置することを特徴とする請求項１１に記載の光ディスク装置。
【請求項１３】
前記アクチュエータを駆動する第２の駆動手段を具備し、
前記対物レンズの前記機械的中立点は、前記第２の駆動手段の駆動電圧のＤＣ成分が略０になる位置を検出することにより決定されることを特徴とする請求項１１に記載の光ディスク装置。
【請求項１４】
前記アクチュエータのみを駆動して前記対物レンズをトラックジャンプさせ、
前記対物レンズを前記キャリッジ内のトラッキング方向の可動範囲における機械的中立点に移動させることを特徴とする請求項１２、１３のいずれか１項に記載の光ディスク装置。
【発明の詳細な説明】
【技術分野】
【０００１】
本発明は、光ディスクのラベル面描画機能を有する光ディスク装置に関するものである。
【背景技術】
【０００２】
光ディスク装置は、ＣＤ、ＤＶＤに代表されるように、音楽、映像等の情報を記録・再生する機器として、既に広く普及している。さらに近年では、記憶容量を大幅に増加させた、青色レーザを用いた光ディスク装置も市場に出始めている。
【０００３】
ここで、従来の光ディスク装置の構成について図７を用いて説明する。
【０００４】
図７は、従来の光ディスク装置のトラッキング制御系の構成を示す図である。
【０００５】
図７において、１は光ディスク、２はスピンドルモータ、３はトラッキングアクチュエータ、４は対物レンズ、５はキャリッジ、６はレーザ光、７はステッパ、１２はトラッキング制御手段、１３はトラッキング駆動手段、１４はステッパ制御手段、１５はステッパ駆動手段である。
【０００６】
光ディスク１の記録または再生を行なう際、光ディスク１がスピンドルモータ２により回転駆動され、レーザ光６が光ディスク１に照射される。レーザ光６は、キャリッジ５に具備される図示しないレーザダイオードから発光され、キャリッジ５に具備される図示しない光学部品を経由し、対物レンズ４によって光ディスク１に集光される。対物レンズ４はキャリッジ５に具備される図示しないフォーカスアクチュエータと、トラッキングアクチュエータ３によって懸架される。また、キャリッジ５は、光ディスク１の記録・再生可能な全ての領域にレーザ光６を集光できるように、ステッパ７によってディスク半径方向に駆動される。対物レンズ４は、フォーカスアクチュエータによりフォーカス制御が、トラッキングアクチュエータ３によってトラッキング制御がなされる。
【０００７】
正確な記録・再生を行うためには、対物レンズ４と光ディスク１との距離が適正に保たれていることが必要である。それを実現するため、光ディスク１に照射されたレーザ光の反射光を光ピックアップにより検出し、その検出信号を基にして生成されるフォーカス誤差信号を用いて、フォーカスアクチュエータを駆動制御するフォーカス制御が行なわれている。フォーカス誤差信号は、対物レンズ４から照射されたレーザ光６が光ディスク１で反射され、再度対物レンズ４を通ってキャリッジ５に具備される図示しない光学部品を経由し、図示しない複数の光検出器により検出されて複数の電気信号に変換され、それら複数の電気信号を元に生成される。
【０００８】
また、光ディスク１に情報を記録するときには、光ディスク１に形成されたトラック上にデータを生成することが、またデータを再生するときには形成されたトラックを正確にトレースすることが必要である。それを実現するため、光ディスク１に照射されたレーザ光の反射光を光ピックアップにより検出し、その検出信号を基にして生成されるトラッキング誤差信号を用いて、トラッキングアクチュエータを駆動制御するトラッキング制御が行なわれている。トラッキング誤差信号は、対物レンズ４から照射されたレーザ光６が光ディスク１で反射され、再度対物レンズ４を通ってキャリッジ５に具備される図示しない光学部品を経由し、図示しない複数の光検出器により検出されて複数の電気信号に変換され、それら複数の電気信号を元に生成される。
【０００９】
このような、フォーカス制御、トラッキング制御を高精度に行なうことにより、光ディスク１に記録されたデータの再生や、光ディスク１へのデータの記録を、正確に行なうことができる。
【００１０】
一般のＣＤ、ＤＶＤ等の光ディスクで記録・再生を行うときは、通常フォーカス制御もトラック制御も、高精度な制御が可能なクローズドループ制御が行なわれている。
【００１１】
一方、光ディスク装置の機能をそのまま利用し、光ディスクのデータ記録面の裏側であるラベル面に描画する技術（以下、光ディスク装置型ラベル面描画技術と称する）があり、ラベル面描画機能を付加した光ディスク装置（以下、ラベル面描画機能付光ディスク装置と称する）が開発されている。
【００１２】
光ディスク装置型ラベル面描画技術に対応した光ディスク１では、光ディスク１の描画面に感熱塗料が塗布されている。描画時には、光ディスク１の描画面が対物レンズ４に対向するように、通常の光ディスクの記録・再生時に対して光ディスクを裏返して光ディスク装置に装着し、描画面にレーザ光を照射することで描画が行なわれる。
【００１３】
従って、通常の光ディスクの記録・再生時と同様、ラベル面描画時には光ディスクの描画面に対してレーザ光を集光する必要がある。そのため、ラベル面描画時においてもフォーカス制御が必要となる。しかし、感熱塗料が塗布されている光ディスクのラベル面の反射率が非常に低い場合、得られるフォーカス誤差信号は非常にＳ／Ｎが低いものとなる。そのため、ラベル面描画時においては安定したクローズドループによるフォーカス制御が非常に困難であることから、フォーカス誤差信号のＳ／Ｎが低いラベル面の描画時は、フォーカス制御はオープンループ制御で行なわれている。
【００１４】
また、光ディスク装置型ラベル面描画技術に対応した光ディスクで、ラベル面に、ＣＤやＤＶＤの記録系の光ディスクのように案内溝が形成されていない場合、トラッキング誤差信号を得ることができない。従って、トラッキング誤差信号を得ることができないラベル面の描画時は、トラッキング制御はオープンループ制御で行なわれている。
【００１５】
光ディスク装置型ラベル面描画技術での描画は、周方向に対して連続または不連続な線を、規定のトラックピッチで半径方向に並べて描画していく形で行なわれる。描画される線は、スパイラル状に形成される場合と、同心円状に形成される場合とがある。いずれの場合も対物レンズをトラッキング方向に微小距離ずつ移動させていくトラッキング制御が必要である。トラッキング制御がオープンループ制御で行なわれている場合、トラッキング制御を行う方法として、主に次の２つの方法がある。
【００１６】
一つはトラッキング制御をステッパ駆動のみを使用して行う方法で、描画が規定のトラックピッチとなるように、描画中に適切なタイミングでステッパを順次送っていく。この場合、ステッパの１ステップ当たりのトラック方向移動量が、極めて正確である必要がある。一般的に光ディスク装置で用いられているステッパ制御では、通常は移動分解能を持たせるためにマイクロステップ駆動が用いられている。光ディスク装置型ラベル面描画技術でのトラック送り制御も、ステッパ駆動だけでトラック送りを行う場合は、必然的にマイクロステップ駆動を用いた形態になる。しかし、マイクロステップ駆動は、各ステップの移動距離がばらつきやすく、光ディスク装置型ラベル面描画技術の描画品質を十分に満足するほどの精度を得るのが困難である。
【００１７】
それに対してもう一つのトラッキング制御の方法として、前記問題点を解消するために、ステッパ駆動と、移動精度が得られ易いトラッキングアクチュエータのオープン制御駆動を組み合わせて、トラッキング制御を行う方法がある。ステッパ駆動は、マイクロステップ駆動を用いずに、通常の１層励磁駆動、もしくは２層励磁駆動を使用する。そして、ステッパの１ステップ駆動もしくは２ステップ駆動あたりに対物レンズが移動する距離を、ステッパの単位移動距離とする。しかし、ステッパの単位移動距離では移動ステップが粗いため、予め決められたステッパの単位移動距離以下の領域でトラッキングアクチュエータをオープン制御駆動し、正確に微小な距離の移動を行う。このように、長距離の移動単位のトラッキング移動を受け持つステッパの駆動制御と、微小距離の移動単位のトラッキング移動を受け持つトラッキングアクチュエータの駆動制御を組み合わせることによって、より正確な微小送りが可能となる。
【００１８】
光ディスク装置のトラッキングアクチュエータをオープン制御で駆動することによって、対物レンズを任意の距離だけトラッキング方向に移動させるときは、光ディスク装置全体の動作を制御するファームウェアによって、対物レンズが任意の距離だけ移動するに相当するトラッキングアクチュエータ駆動量（数値）が設定される。トラッキングアクチュエータ駆動量は、一般的にＤ／Ａコンバータによりアナログ信号化されるか、もしくは２値または３値のＰＷＭ信号化され、トラッキングアクチュエータ駆動信号となる。トラッキングアクチュエータ駆動信号がトラッキングアクチュエータ駆動回路に入力されることによって、トラッキングアクチュエータ駆動量に応じた電圧がトラッキングアクチュエータに印加され、トラッキングアクチュエータが駆動される。
【特許文献１】米国特許第６７７１２９７号明細書
【発明の開示】
【発明が解決しようとする課題】
【００１９】
しかしながら、トラッキングアクチュエータの感度やトラッキングアクチュエータ駆動回路のゲインには、光ディスク装置各個体ごとに比較的大きなばらつきが存在する。従って、トラッキングアクチュエータ駆動量に対するトラッキングアクチュエータ移動量の感度（以下トラッキングアクチュエータ移動感度と称する）は、光ディスク装置各個体ごとに比較的大きなばらつきが存在することになる。即ち、光ディスク装置のファームウェアにてトラッキングアクチュエータを規定の移動距離だけオープン制御で移動させる際、光ディスク装置各々で一律同じトラッキングアクチュエータ駆動量で移動させても、トラッキングアクチュエータ移動感度のばらつきの分だけ移動距離がばらついてしまうという問題があった。
【００２０】
また、トラッキングアクチュエータと同様にステッパの移動も高精度に行なわれることが要求される。しかしながら、ステッパの移動精度はステッパの性能に依存するため、光ディスク装置においてステッパが求められる移動精度を満足するためには、ステッパの性能を高めるか、もしくはステッパが求められる移動精度を満足するかどうかを検査する必要がある。ただし、量産でステッパの性能を一様に高めることは、限られたコストやサイズの中では非常に困難であるため、ステッパが求められる移動精度を満足するかどうかを検査するのが現実的な方法である。
【００２１】
しかしながら、ステッパの移動精度を検査するためには、ステッパによって駆動されるキャリッジの移動量を測定する必要があるが、一般的に用いられる、光学式の測長器等の測定器を利用した測定方法では、そのための設備が必要になり、大きなコストがかかる。また、光学式の測長器等では、光ディスク装置の内周から外周にわたる長距離間の各ステップ精度を連続的に高精度に測定するのが難しいという問題があった。
【００２２】
本発明は上記課題を解決するためのものであって、簡便に低コストで、トラッキングアクチュエータをオープン制御で駆動する場合でも、対物レンズがトラッキング方向に正確に所望の距離だけ移動することが可能な光ディスク装置を提供することを目的とする。また、簡便に低コストで、ステッパの長距離間の各ステップ精度を高精度に測定することが可能な光ディスク装置を提供することを目的とする。
【課題を解決するための手段】
【００２３】
本発明は、上記課題を解決するためになされたもので、光ディスクに対してレーザ光を集光する対物レンズと、対物レンズを光ディスクのトラッキング方向に移動させるアクチュエータと、アクチュエータを駆動する駆動手段と、対物レンズを単位距離移動させる駆動値を調整係数として保持する記憶手段と、記憶手段から取り出した調整係数に基づき、駆動手段に電圧を出力させて対物レンズの移動制御を行う制御手段と、を具備することを特徴とする光ディスク装置である。
【００２４】
また、光ディスクに対してレーザ光を集光する対物レンズと、対物レンズが設けられたキャリッジと、キャリッジを光ディスクのトラッキング方向に移動させるステッパと、ステッパを駆動する駆動手段と、所定の電圧を加えてキャリッジを移動させつつ光ディスクにレーザ光を照射させ、光ディスクからの反射光からキャリッジの移動始点である第１のアドレス情報と移動終点である第２のアドレス情報を読込み、第１のアドレス情報に対応する位置までの光ディスクの半径距離と第２のアドレス情報に対応する位置までの光ディスクの半径距離との差分から、所定の電圧を加えた際にキャリッジが実際に移動した距離を算出する制御手段と、を具備することを特徴とする光ディスク装置。
【発明の効果】
【００２５】
本発明は上記構成により、記憶手段から取り出した調整係数に基づき駆動手段に電圧を出力させて対物レンズの移動制御を行うことによって、駆動手段がアクチュエータを駆動するゲインや駆動手段からの電圧に対するアクチュエータの感度が標準値からずれることにより発生する対物レンズの移動量の誤差を補正する調整係数を利用するので、対物レンズの移動量を意図した量に制御することができる。
【００２６】
また、制御手段が、所定の電圧を加えてキャリッジを移動させつつ光ディスクにレーザ光を照射させ、光ディスクからの反射光からキャリッジの移動始点である第１のアドレス情報と移動終点である第２のアドレス情報を読込み、第１のアドレス情報に対応する位置までの光ディスクの半径距離と第２のアドレス情報に対応する位置までの光ディスクの半径距離との差分から、所定の電圧を加えた際にキャリッジが実際に移動した距離を算出することによって、新たにキャリッジの移動量を直接検知する検知手段を追加することなく検出するので、部品点数を増やすことなく、キャリッジの移動量を容易な構成で検出できる。
【発明を実施するための最良の形態】
【００２７】
請求項１記載の発明は、光ディスクに対してレーザ光を集光する対物レンズと、対物レンズを光ディスクのトラッキング方向に移動させるアクチュエータと、アクチュエータを駆動する駆動手段と、対物レンズを単位距離移動させる駆動値を調整係数として保持する記憶手段と、記憶手段から取り出した調整係数に基づき、駆動手段に電圧を出力させて対物レンズの移動制御を行う制御手段と、を具備することを特徴とするものである。これにより、記憶手段から取り出した調整係数に基づき駆動手段に電圧を出力させて対物レンズの移動制御を行うことによって、駆動手段がアクチュエータを駆動するゲインや駆動手段からの電圧に対するアクチュエータの感度が標準値からずれることにより発生する対物レンズの移動量の誤差を補正する調整係数を利用するので、対物レンズの移動量を意図した量に制御することができる。
【００２８】
請求項２記載の発明は、対物レンズを単位距離駆動し、対物レンズを移動させながら光ディスクにレーザ光を照射させ、光ディスクからの反射光から光ディスクのアドレス情報を読込み、対物レンズが単位距離に対応して実際に移動した距離を光ディスクのアドレス情報から検出し、単位距離と単位距離に対応して実際に移動した距離との差分から調整係数を算出し、調整係数を記憶手段に格納する調整手段を設けたことを特徴とするものである。これにより、調整手段が、光ディスクにレーザ光を照射させ、対物レンズを移動させながら対物レンズを単位距離駆動し、光ディスクからの反射光から光ディスクのアドレス情報を読込み、対物レンズが単位距離に対応して実際に移動した距離を光ディスクのアドレス情報から検出し、単位距離と単位距離に対応して実際に移動した距離との差分から調整係数を算出し、調整係数を記憶手段に格納することによって、新たに対物レンズの移動量を直接検知する検知手段を追加することなく検出するので、部品点数を増やすことなく対物レンズの移動量を容易な構成で検出できる。
【００２９】
請求項３記載の発明は、対物レンズを単位距離駆動し、対物レンズを移動させながら光ディスクにレーザ光を照射させ、光ディスクからの反射光から光ディスクのアドレス情報を読込み、対物レンズが単位距離に対応して実際に移動した距離を光ディスクのアドレス情報から検出し、対物レンズを単位距離移動させる駆動値を、駆動値により実際に移動した距離で除することにより調整係数を算出し、調整係数を記憶手段に格納する調整手段を設けたことを特徴とする。これにより、調整手段が、対物レンズを単位距離駆動し、対物レンズを移動させながら光ディスクにレーザ光を照射させ、光ディスクからの反射光から光ディスクのアドレス情報を読込み、対物レンズが単位距離に対応して実際に移動した距離を光ディスクのアドレス情報から検出し、対物レンズを単位距離移動させる駆動値を、駆動値により実際に移動した距離で除することにより調整係数を算出し、調整係数を記憶手段に格納することよって、新たに対物レンズの移動量を直接検知する検知手段を追加することなく検出するので、部品点数を増やすことなく対物レンズの移動量を容易な構成で検出できる。
【００３０】
請求項４記載の発明は、単位距離移動させる駆動値が、対物レンズが光ディスクの第１のアドレスに位置するときの第１のトラッキング駆動値のＤＣ成分と、対物レンズが光ディスクの第２のアドレスに位置するときの第２のトラッキング駆動値のＤＣ成分との差分であることを特徴とするものである。これにより、単位距離移動させる駆動値は、対物レンズが光ディスクの第１のアドレスに位置するときの第１のトラッキング駆動値のＤＣ成分と、対物レンズが光ディスクの第２のアドレスに位置するときの第２のトラッキング駆動値のＤＣ成分との差分であることによって、ＤＣ成分が対物レンズの位置情報を表すので、対物レンズを単位距離移動させる駆動値を最小限の情報で算出できる。その結果、対物レンズを単位距離移動させる駆動値を容易に算出できるので、調整手段にかかる負荷を軽減することができる。
【００３１】
請求項５記載の発明は、対物レンズが、第１のアドレスが位置する光ディスクの第１の半径上から第２のアドレスが位置する光ディスクの第２の半径上までの移動を駆動手段のみで行うことを特徴とするものである。これにより、対物レンズが、第１のアドレスが位置する光ディスクの第１の半径上から第２のアドレスが位置する光ディスクの第２の半径上までの移動を駆動手段のみで行うことによって、対物レンズを移動させるアクチュエータを駆動する駆動手段以外の駆動力による対物レンズの移動を考慮する必要がなくなるので、調整係数を算出する際の演算を更に容易にすることができ、調整手段にかかる負荷を軽減することができる。
【００３２】
請求項６記載の発明は、対物レンズの第１の半径上から第２の半径上までの移動量が、対物レンズを予め定めたトラック本数分トラックジャンプさせることで決定されることを特徴とする光ディスク装置である。これにより、対物レンズの第１の半径上から第２の半径上までの移動量が、対物レンズを予め定めたトラック本数分トラックジャンプさせることで決定されることによって、対物レンズの移動量を容易に且つ精度良く検出するので、調整手段にかかる負荷を更に軽減することができる。
【００３３】
請求項７記載の発明は、制御手段が、対物レンズを第１の半径上から第２の半径上にシークさせて、第１の半径と第２の半径との距離が所定の距離になるようにすることを特徴とするものである。これにより、制御手段が、対物レンズを第１の半径上から第２の半径上にシークさせて、第１の半径と第２の半径との距離が所定の距離になるようにすることによって、第１の半径と第２の半径との距離を容易に所定の距離にできるので、調整係数の精度を上げることができる。
【００３４】
請求項８記載の発明は、記憶手段が、ＥＥＰＲＯＭであることを特徴とするものである。これにより、記憶手段がＥＥＰＲＯＭであることによって、光ディスク装置全体を制御するファームウェアの内容を駆動手段のゲインとアクチュエータの感度に応じて変更する必要がないため、量産時における生産性を向上できる。
【００３５】
請求項９記載の発明は、光ディスクにレーザ光を照射させ、フォーカス制御をＯＮにし、対物レンズを光ディスクの半径方向に単位距離駆動し、対物レンズの移動前と移動後とで光ディスクからの反射光から光ディスクのアドレス情報を読込み、対物レンズが単位距離に対応して実際に移動した距離を光ディスクのアドレス情報を読込み、単位距離と単位距離に対応して実際に移動した距離との差分から調整係数を算出し、調整係数を記憶手段に格納する調整手段を設けたことを特徴とするものである。これにより、調整手段が、光ディスクにレーザ光を照射させ、フォーカス制御をＯＮにし、対物レンズを光ディスクの半径方向に単位距離駆動し、対物レンズの移動前と移動後とで光ディスクからの反射光から光ディスクのアドレス情報を読込み、単位距離と単位距離に対応して実際に移動した距離との差分から調整係数を算出し、調整係数を記憶手段に格納することによって、新たに対物レンズの移動量を直接検知する検知手段を追加することなく検出するので、部品点数を増やすことなく対物レンズの移動量を容易な構成で検出できる。
【００３６】
請求項１０記載の発明は、光ディスクにレーザ光を照射させ、フォーカス制御をＯＮにし、対物レンズを光ディスクの半径方向に単位距離駆動し、対物レンズの移動前と移動後とで光ディスクからの反射光から光ディスクのアドレス情報を読込み、対物レンズが単位距離に対応して実際に移動した距離を光ディスクのアドレス情報から検出し、対物レンズを単位距離移動させる駆動値を、駆動値により実際に移動した距離で除することにより調整係数を算出し、調整係数を記憶手段に格納する調整手段を設けたことを特徴とする。
【００３７】
これにより、光ディスクにレーザ光を照射させ、フォーカス制御をＯＮにし、対物レンズを光ディスクの半径方向に単位距離駆動し、対物レンズの移動前と移動後とで光ディスクからの反射光から光ディスクのアドレス情報を読込み、対物レンズが単位距離に対応して実際に移動した距離を光ディスクのアドレス情報から検出し、対物レンズを単位距離移動させる駆動値を、駆動値により実際に移動した距離で除することにより調整係数を算出し、調整係数を記憶手段に格納する調整手段を設けたことよって、新たに対物レンズの移動量を直接検知する検知手段を追加することなく検出するので、部品点数を増やすことなく対物レンズの移動量を容易な構成で検出できる。
【００３８】
請求項１１記載の発明は、光ディスクに対してレーザ光を集光する対物レンズと、対物レンズが設けられたキャリッジと、キャリッジを光ディスクのトラッキング方向に移動させるステッパと、ステッパを駆動する駆動手段と、所定の電圧を加えてキャリッジを移動させつつ光ディスクにレーザ光を照射させ、光ディスクからの反射光からキャリッジの移動始点である第１のアドレス情報と移動終点である第２のアドレス情報を読込み、第１のアドレス情報に対応する位置までの光ディスクの半径距離と第２のアドレス情報に対応する位置までの光ディスクの半径距離との差分から、所定の電圧を加えた際にキャリッジが実際に移動した距離を算出する制御手段と、を具備することを特徴とするものである。これにより、制御手段が、所定の電圧を加えてキャリッジを移動させつつ光ディスクにレーザ光を照射させ、光ディスクからの反射光からキャリッジの移動始点である第１のアドレス情報と移動終点である第２のアドレス情報を読込み、第１のアドレス情報に対応する位置までの光ディスクの半径距離と第２のアドレス情報に対応する位置までの光ディスクの半径距離との差分から、所定の電圧を加えた際にキャリッジが実際に移動した距離を算出することによって、新たにキャリッジの移動量を直接検知する検知手段を追加することなく検出するので、部品点数を増やすことなく、キャリッジの移動量を容易な構成で検出できる。
【００３９】
請求項１２記載の発明は、対物レンズをキャリッジ内で光ディスクのトラッキング方向に移動させるアクチュエータを備え、対物レンズは、キャリッジ内のトラッキング方向の可動範囲における機械的中立点に常に位置することを特徴とするものである。これにより、対物レンズをキャリッジ内で光ディスクのトラッキング方向に移動させるアクチュエータを備え、対物レンズがキャリッジ内のトラッキング方向の可動範囲における機械的中立点に常に位置することによって、アクチュエータによる対物レンズの移動を考慮する必要がなくなるので、対物レンズの移動距離を算出する際の演算を更に容易にすることができ、制御手段にかかる負荷を軽減することができる。
【００４０】
請求項１３記載の発明は、アクチュエータを駆動する第２の駆動手段を具備し、対物レンズの機械的中立点は、第２の駆動手段の駆動電圧のＤＣ成分が略０になる位置を検出することにより決定されることを特徴とするものである。これにより、対物レンズのキャリッジ内でのトラッキング方向可動範囲における機械的中立点を、第２の駆動手段の駆動電圧のＤＣ成分が略０になる位置を検出することにより決定することによって、ＤＣ成分が対物レンズのキャリッジ内でのトラッキング方向の可動範囲における位置情報を表すので、対物レンズのキャリッジ内での位置を最小限の情報で算出できる。その結果、対物レンズのキャリッジ内での位置を容易に算出できるので、制御手段にかかる負荷を更に軽減することができる。
【００４１】
請求項１４に記載の発明は、アクチュエータのみを駆動して対物レンズをトラックジャンプさせ、対物レンズをキャリッジ内のトラッキング方向の可動範囲における機械的中立点に移動させることを特徴とするものである。これにより、アクチュエータのみを駆動して対物レンズをトラックジャンプをさせ、対物レンズをキャリッジ内のトラッキング方向の可動範囲における機械的中立点に移動させることによって、対物レンズと、対物レンズが設けられたキャリッジとを同時に移動させないので、キャリッジが移動する際の加速、減速による慣性力の影響を対物レンズに受けさせず、対物レンズを正確かつ簡単にキャリッジ内の機械的中立位置に移動できる。
【００４２】
（実施の形態１）
以下、本発明の実施の形態１について図面を参照しながら説明する。
【００４３】
図１は、本発明の実施の形態１におけるトラッキングアクチュエータ駆動回路の構成を示す図である。図１において、１は光ディスク、２はスピンドルモータ、３はトラッキングアクチュエータ、４は対物レンズ、５はキャリッジで、キャリッジ５には、図示しないレーザダイオード（以下ＬＤ）、光検出器、その他光学部品も具備される。６はレーザ光、７はステッパ、８はトラッキングアクチュエータ移動感度調整係数記憶手段、９はＣＰＵ、１０はトラッキング移動量指令手段、１１はトラッキングアクチュエータ移動感度調整係数、１２はトラッキング制御手段、１３はトラッキング駆動手段、１４はステッパ制御手段、１５はステッパ駆動手段である。
【００４４】
以上のように構成された本発明の実施の形態１における光ディスク装置の動作について、図１を用いて説明する。
【００４５】
光ディスク装置が起動を開始すると、まずスピンドルモータ２を駆動することにより光ディスク１が加速を開始する。スピンドルモータ２は、ＣＡＶ制御（角速度一定制御）される場合には予め決められた回転速度になるまで加速駆動され、決められた回転速度に達したら、ＣＡＶ制御（角速度一定制御）に移行する。また、ＣＬＶ制御（線速度一定制御）される場合には、予め決められた線速度になるまで加速駆動され、決められた線速度に達したら、ＣＬＶ制御（線速度一定制御）に移行する。
【００４６】
次に、光ピックアップに具備されるＬＤを発光させることによりレーザ光６が出射される。出射されたレーザ光６は、光ピックアップに具備される光学部品を介して対物レンズ４を通過し、光ディスク１に照射される。
【００４７】
通常の光ディスクの再生・記録時には、レーザ光６は対物レンズ４を介して光ディスク１の基板を通過し、データ記録面に集光される。データ記録面に集光されるレーザ光６は、再生・記録品質を最良にするために、極小のスポット状になるようにしなけばならない。そのため、光ピックアップに具備される、図示しないフォーカスアクチュエータと、図示しないフォーカス制御手段によって、クローズドループによるフォーカス制御が実施される。フォーカス制御を実施するために必要となるフォーカス誤差信号は、光ディスク１で反射したレーザ光が対物レンズ４を介して、図示しない光検出器で検出され、電気信号に変換されて、図示しないフォーカス誤差信号生成手段により生成される。
【００４８】
一方、光ディスク装置型ラベル面描画技術では、光ディスク１のラベル面に描画するため、光ディスク１の表面にレーザ光６を集光させる。通常の光ディスクの再生・記録時の場合には、前記のようにクローズドループによるフォーカス制御が実施されるが、光ディスク装置型ラベル面描画技術対応の光ディスクには、描画面には非常に反射率の低い感光塗料が塗布されており、得られるフォーカス誤差信号のＳ／Ｎが低く、フォーカス誤差信号を使ったクローズドループ制御が非常に困難である場合がある。そのような場合、光ディスク装置型ラベル面描画技術では、光ディスク１の描画面からの反射光の総和信号が最大になることを目標として、オープン制御が実施される。
【００４９】
また、光ディスク装置型ラベル面描画技術は、周方向に対して連続または不連続な線を、規定のトラックピッチで半径方向に並べて描画していく形で行なわれる。描画される線は、スパイラル状に形成される場合と、同心円状に形成される場合とがある。いずれの場合でも、光ディスク装置型ラベル面描画技術対応の光ディスクでは、描画面にはトラッキング誤差信号が検出できるような案内溝が形成されていない場合、対物レンズ４をトラッキング方向に微小距離ずつ移動させていくオープン制御駆動によるトラッキング制御が必要である。トラッキング制御を行う方法として、トラッキング制御をステッパ駆動のみを使用して行う方法もあるが、本発明では、より高精度なトラッキング制御が実現できるよう、ステッパ駆動と、移動精度を高めることが可能である、トラッキングアクチュエータ３のオープン制御駆動を組み合わせたトラッキング制御を実施している。
【００５０】
ステッパ駆動は、マイクロステップ駆動を用いずに、通常の１相励磁駆動、もしくは２相励磁駆動を使用する。そして、ステッパ７の１ステップ駆動もしくは２ステップ駆動あたりにキャリッジ５が移動する距離が、ステッパ７によるキャリッジ５の単位移動距離（以下ステッパの単位移動距離と省略して表記）となる。しかし、ステッパ７の単位移動距離では移動ステップが粗いため、予め決められたステッパ７の単位移動距離以下の領域でトラッキングアクチュエータ３をオープン制御駆動し、正確に微小な距離の移動を行う。
【００５１】
光ディスク装置型ラベル面描画技術による描画時には、対物レンズ４を、目標とする光ディスク半径位置に移動させるために、ステッパ７の駆動とトラッキングアクチュエータ３の駆動を組み合わせる。ステッパ７の駆動は、１相励磁、もしくは２相励磁で行なわれる。ステッパ７は、一般的な光ディスク装置では、１ステップあたりキャリッジ５が数十〜数百μｍ程度移動する。ステッパ７の移動距離の精度は、ほぼステッパ７の性能に依存するところが大きい。ステッパ７の駆動によるキャリッジ５の移動精度は、ステッパ７の構造から、１ステップ単位で移動させるよりも、２ステップ単位で移動させた方が、より移動距離が高精度になり易い。
【００５２】
トラッキングアクチュエータ３の駆動は、ステッパ７の単位移動距離以下の領域の分解能を補う形で行なわれる。例えば、ステッパ７を１ステップ単位で駆動していく場合、ステッパ７を１ステップ駆動することにより移動するキャリッジ５の１ステップあたりの移動距離ｌｓに対して、トラッキングアクチュエータ３の駆動範囲を、−ｌｓ／２〜ｌｓ／２とすることにより、光ディスク１の全半径領域に渡って、高精細なトラッキング制御が実現できる。
【００５３】
トラッキングアクチュエータ３をオープン制御で駆動することによって対物レンズ４を任意の距離だけトラッキング方向に移動させるときは、トラッキングアクチュエータ３の移動量は、ＣＰＵ９に内蔵されるトラッキング移動量指令手段１０によって制御される。トラッキング移動量指令手段１０によって、対物レンズ４が任意の距離だけ移動するに相当するトラッキングアクチュエータ駆動量（数値）が設定される。従来の光ディスク装置では、トラッキングアクチュエータ駆動量は、一般的にそのままＤ／Ａコンバータによりアナログ信号化されるか、もしくは２値または３値のＰＷＭ信号化され、トラッキングアクチュエータ駆動信号となる。トラッキングアクチュエータ駆動信号がトラッキング制御手段１２に入力されることによって、トラッキングアクチュエータ駆動量に応じた電圧がトラッキングアクチュエータ３に印可され、トラッキングアクチュエータ３が駆動される。
【００５４】
しかし、トラッキングアクチュエータ３の感度やトラッキングアクチュエータ駆動回路のゲインには、光ディスク装置各個体ごとに比較的大きなばらつきが存在する。従って、トラッキングアクチュエータ駆動量に対するトラッキングアクチュエータ移動量の感度（以下トラッキングアクチュエータ移動感度と称する）は、光ディスク装置各個体ごとに比較的大きなばらつきが存在することになる。即ち、光ディスク装置のファームウェアにてトラッキングアクチュエータ３を規定の移動距離だけ移動させる際、光ディスク装置各々で一律同じトラッキングアクチュエータ駆動量で移動させても、トラッキングアクチュエータ移動感度のばらつきの分だけ移動距離がばらついてしまうことになる。そこで、本発明においては、ファームウェアにてトラッキング移動量指令手段１０に設定されたトラッキング駆動量に対して、トラッキングアクチュエータ移動感度調整係数１１を乗ずることを特徴としている。
【００５５】
トラッキングアクチュエータ移動感度調整係数１１は、トラッキング移動量指令手段１０に、光ディスク装置の各個体でファームウェアにて一律同じトラッキングアクチュエータ駆動量を設定することで、光ディスク装置の各個体何れにおいても対物レンズ４が同じトラッキング移動量となるように、予めトラッキングアクチュエータ移動感度を光ディスク装置各個体ごとに調整され、トラッキングアクチュエータ移動感度調整係数１１がトラッキングアクチュエータ移動感度調整係数記憶手段８に保存されている。
【００５６】
トラッキングアクチュエータ移動感度調整係数１１が乗じられたトラッキングアクチュエータ駆動量はトラッキング制御手段１２に入力され、トラッキング制御手段１２でトラッキング駆動手段１３の入力形式に適した信号に変換され、トラッキング駆動手段１３によってトラッキングアクチュエータ３が駆動され、対物レンズ４がトラッキング方向に移動する。
【００５７】
また、前記のように、光ディスク装置の各個体で一律同じトラッキングアクチュエータ駆動量を設定することで光ディスク装置の各個体何れにおいても対物レンズ４が同じトラッキング移動量となるようにするためには、予めトラッキングアクチュエータ移動感度を光ディスク装置各個体ごとに調整する必要がある。
【００５８】
次に、トラッキングアクチュエータ移動感度調整方法を図２、図３、図４を用いて説明する。
【００５９】
図２は、本発明の実施の形態１におけるトラッキングアクチュエータ駆動によるトラック移動を示す図である。
【００６０】
図３は本発明の実施の形態１におけるトラック移動前後のトラック駆動量変化を示す図、図４は本発明の実施の形態１におけるトラック移動感度調整のフローチャートである。
【００６１】
本発明によるトラッキングアクチュエータ移動感度調整方法では、光ディスク装置の一般的な機能を用い、一般的な光ディスクの再生動作の中で、トラッキングアクチュエータ移動感度を測定し、トラッキングアクチュエータ移動感度を調整することを特徴とする。
【００６２】
まず、光ディスク装置に一般的な光ディスク１を装着する。装着する光ディスク１は、ＤＶＤ−ＲＯＭ、ＣＤ−ＲＯＭ等特に制限はないが、本発明では光ディスク１のトラックピッチを基準に対物レンズ４のトラッキング移動距離を算出するため、使用する光ディスク１のトラックピッチを予め知っておく必要がある。ＤＶＤ系光ディスクはトラックピッチが約０．７４μｍ、ＣＤ系光ディスクはトラックピッチが約１．６０μｍである。光ディスク１を装着したら、図４のフローチャートに従って、トラッキングアクチュエータ移動感度の調整を行う。なお、通常光ディスク装置では、起動中に、安定して再生を行うための各種信号調整、サーボ調整等が実行され、また光ディスク１に記録されたディスク情報の読み込み等が実行されるが、ここでの詳細の説明は割愛する。
【００６３】
トラック移動感度調整が開始されると（Ｓ１）、スピンドルモータ２を駆動し光ディスク１を回転させ、ＬＤを発光させ、対物レンズ４を介して光ディスク１の記録面にレーザ光６を照射し、反射したレーザ光６を、対物レンズ４を介して光ピックアップにより検出され、図示しないフォーカス誤差信号生成手段により生成されたフォーカス誤差信号を元に、図示しないフォーカス制御手段によって、フォーカスサーボをＯＮにする（Ｓ２）。次に、トラッキング誤差信号生成手段により生成されたトラッキング誤差信号を元に、トラッキング制御手段によって、トラッキングサーボをＯＮにする（Ｓ３）。この後、光ディスク装置の所定の起動シーケンスを経て起動が完了し、ポーズ状態で待機する。ポーズ状態では、所定のアドレスから、光ディスクが１回転、または複数回転してアドレスが進む毎に、元の所定のアドレスにシークする動作を繰り返す。
【００６４】
次に、光ディスク１が１回転する毎に内周側に１トラック分だけトラックジャンプする、スチルＯＮの状態にする（Ｓ４）。これにより、光ディスク１の回転が続いても対物レンズ４は１トラック分以上外周に進まず、ほぼ一定のディスク半径位置に留まり続ける。さらに、ステッパ駆動を停止させる（Ｓ５）。これは、この後で行うトラックジャンプ動作の際に、ステッパ７の駆動によるキャリッジ移動が伴わないようにするためである。
【００６５】
次に、予め対物レンズ４がメカ的中立位置に位置するようにする。そうすることで、より高精度に調整することができる。対物レンズ４がメカ的中立位置付近に位置するかどうかは、スチル状態でのトラッキングアクチュエータ駆動量のＤＣ成分（以下トラッキング低域駆動量と表記）を測定することで判別できる。もし対物レンズ４が、メカ的中立位置から離れていると判別された場合には、トラックジャンプ動作を実行して、できるだけ対物レンズ４がメカ的中立位置に近くなるようにしておく。この時のトラッキングアクチュエータ３と、対物レンズ４と、キャリッジ５との関係は、図２の（ａ）の状態にある。この状態のディスク半径位置を、初期の対物レンズ位置とする。
【００６６】
次に、内周方向に、予め設定したトラック本数Ｎ本だけトラックジャンプする（Ｓ６）。この時のトラッキングアクチュエータ３と、対物レンズ４と、キャリッジ５との関係は、図２の（ｂ）の状態にある。この状態のディスク半径位置を、第１のディスク半径位置とする。
【００６７】
内周方向にＮ本トラックジャンプしたら、トラッキング低域駆動量Ｖ１を測定する。このときのトラッキング駆動量は、図３の第１のディスク半径位置における波形のような変動をしている。正弦波状の変動成分は、回転する光ディスク１のトラックの偏芯が生じる偏芯成分である。従って、第１のディスク半径位置におけるトラッキング駆動量を求めるときには、偏芯成分による変動を含む第１のディスク半径位置におけるトラッキング駆動量からトラッキング低域駆動量Ｖ１を求め、このＶ１を一時的に記憶手段に保存する（Ｓ７）。
【００６８】
次に、外周方向に２Ｎ本トラックジャンプする（Ｓ８）。この時のトラッキングアクチュエータ３と、対物レンズ４と、キャリッジ５との関係は、図２の（ｃ）の状態にある。この状態のディスク半径位置を、第２のディスク半径位置とする。ここで２Ｎ本外周方向にトラックジャンプすることによって、対物レンズ４は、内周にＮ本トラックジャンプする前の初期位置から外周方向にＮ本トラックジャンプしたのと同じディスク半径位置に位置することになる。
【００６９】
外周方向に２Ｎ本トラックジャンプしたら、トラッキング低域駆動量Ｖ１と同様にしてトラッキング低域駆動量Ｖ２を測定する。このときのトラッキング駆動量は、図３の第２のディスク半径位置における波形のようになり、Ｖ１とＶ２との間に段差が生じている。Ｖ２を一時的に記憶手段に保存する（Ｓ９）。
【００７０】
ここで、対物レンズ４が初期位置から外周方向にＮ本トラックジャンプしたときのトラッキング低域駆動量と、対物レンズ４が初期位置から内周方向にＮ本トラックジャンプしたときのトラッキング低域駆動量との差分である、トラッキング低域駆動量差を演算する（ｓ１０）。トラッキング低域駆動量差をΔＶとすると、
ΔＶ＝Ｖ２−Ｖ１
となる。このトラッキング低域駆動量差ΔＶは、２Ｎ本トラックジャンプしたときのトラッキング低域駆動量差であるため、即ち対物レンズ４をトラック２Ｎ本分の距離だけ移動させるのに必要なトラッキングアクチュエータ駆動量となる。従って、光ディスク１のトラックピッチをＴｐとすると、トラック２Ｎ本分の距離ｌ2Ntは、
ｌ2Nt＝２Ｎ×Ｔｐ
となる。従って、対物レンズ４の移動単位距離ｌuだけトラッキング方向に移動させるのに必要なトラッキングアクチュエータ駆動量αは、
α＝β×ΔＶ（β＝ｌu／ｌ2Nt）
と計算される（Ｓ１１）。このαをトラッキング移動感度調整係数とし、トラッキングアクチュエータ移動感度調整係数記憶手段８に保存し（Ｓ１２）、トラック移動感度調整を終了する（Ｓ１３）。
【００７１】
光ディスク装置型ラベル面描画技術動作時には、トラッキングアクチュエータ移動感度調整係数記憶手段８から、調整によって保存された値が、トラッキングアクチュエータ移動感度調整係数１１に設定される。トラッキング移動量指令手段１０によって、対物レンズ４を移動させたい距離を、対物レンズ４の移動単位距離ｌuに対する倍率の形式で設定する。それにより、光ディスク装置が具備する、トラッキングアクチュエータ３の感度や、トラッキング駆動回路のゲインがばらついていても、対物レンズ４がトラッキング方向に正確に所望の距離だけ移動することが可能となる。
【００７２】
このように、本発明によれば、特に測長器等の設備を追加することなく、光ディスクの装置一般的な機能を用いて、簡単にトラッキングアクチュエータ移動感度調整係数を得る事ができ、光ディスク装置型ラベル面描画技術描画時等に対物レンズをトラッキングアクチュエータのオープン制御により正確な距離移動させることが可能となる。
【００７３】
以上の内容により、記憶手段から取り出した調整係数に基づき駆動手段に電圧を出力させて対物レンズの移動制御を行うことによって、駆動手段がアクチュエータを駆動するゲインや駆動手段からの電圧に対するアクチュエータの感度が標準値からずれることにより発生する対物レンズの移動量の誤差を補正する調整係数を利用するので、対物レンズの移動量を意図した量に制御することができる。
【００７４】
（実施の形態２）
以下、本発明の実施の形態２について図面を参照しながら説明する。
【００７５】
なお、光ディスク装置全体の構成と、トラッキングアクチュエータ駆動回路の構成は、実施の形態１と同様である。
【００７６】
図５は本発明の実施の形態２におけるステッパ駆動前後のキャリッジ位置を示す図であり、図６は本発明の実施の形態２におけるステッパ移動精度検査のフローチャートである。
【００７７】
光ディスク装置型ラベル面描画技術を搭載する光ディスク装置では、トラッキングアクチュエータ３が正確な距離だけ移動できるのと共に、ステッパ７をステップ駆動することにより、キャリッジ５が正確なステップピッチで移動できなければ描画品質を満足できない。しかしながら、ステッパ７はモータの性能に依存するところが多く、制御方法の工夫や何らかの調整によって、ステップ移動精度を向上させることは不可能に近い。従って、ステッパ７のばらつきによりステップ移動精度を満足できないような個体は、判別によってリジェクトするのが現実的である。本発明は、光ディスク装置が具備するステッパ７によりキャリッジ５がディスク内周から外周にわたりステップ移動する長距離間の各ステップ精度を、特に設備を追加することなく、連続的に高精度に測定することを可能とし、ステッパ７の移動精度の高いものを選別することを可能とする。
【００７８】
まず、光ディスク装置に一般的な光ディスク１を装着する。装着する光ディスク１は、ＤＶＤ−ＲＯＭ、ＣＤ−ＲＯＭ等特に制限はないが、本発明では光ディスク１のトラックピッチを基準に対物レンズ４のトラッキング移動距離を算出するため、使用する光ディスク１のトラックピッチを予め知っておく必要がある。ＤＶＤ系ディスクはトラックピッチが約０．７４μｍ、ＣＤ系ディスクはトラックピッチが約１．６０μｍである。光ディスク１を装着したら、図６のフローチャートに従って、ステッパ移動精度検査を行う。なお、通常光ディスク装置では、起動中に、安定して再生を行うための各種信号調整、サーボ調整等が実行され、また光ディスク１に記録されたディスク情報の読み込み等が実行されるが、ここでの詳細の説明は割愛する。
【００７９】
ステッパ精度検査が開始されると（Ｓ１４）、光ディスク装置を起動する（Ｓ１５）。光ディスク装置の所定の起動シーケンスを経て起動が完了したら、ステッパ精度検査の範囲の最内周である初期位置にシークする（Ｓ１６）。
【００８０】
次に、光ディスク１が１回転する毎に内周側に１トラック分だけトラックジャンプする、スチルＯＮの状態にする（Ｓ１７）。さらに、ステッパ駆動を停止させる（Ｓ１８）。これは、この後で行うトラックジャンプ動作の際に、ステッパ７の駆動によるキャリッジ移動が伴わないようにするためである。
【００８１】
次に、対物レンズ４がメカ的中立位置に位置するようにする。そうすることで、より高精度にステッパ７の駆動によるキャリッジの移動距離を測定することができる。このとき、スチル状態でのトラッキングアクチュエータ駆動量のＤＣ成分（以下トラッキング低域駆動量Ｖと表記）を測定する（Ｓ１９）。ここで、対物レンズ４がメカ的中立位置付近に位置するかどうかを、トラッキング低域駆動量Ｖで判別する（Ｓ２０）。トラッキング低域駆動量Ｖが、予め決められた閾値以内にあれば、対物レンズ４がメカ中立位置に存在すると判別する。もしトラッキング低域駆動量Ｖが閾値を超えていて、対物レンズ４がメカ的中立位置から離れていると判別された場合には、トラッキング低域駆動量Ｖが閾値以内になるまでトラックジャンプ動作を実行して（Ｓ２１）、できるだけ対物レンズ４がメカ的中立位置に近くなるようにする。このときの状態を表す、図５（ａ）の第１のアドレスにおけるキャリッジ位置を、第１のディスク半径位置ｒ１とする。
【００８２】
対物レンズ４がメカ的中立位置に達したら、アドレスリードを実行する。一般的な光ディスク装置では、アドレスからそのアドレスが存在するディスク半径位置を演算する機能を具備しているため、その機能により第１ディスク半径位置ｒ１を演算する。演算された第１のディスク半径位置ｒ１は、一時的に記憶手段に保存する（Ｓ２２）。
【００８３】
次に、トラッキング制御をＯＦＦにする（Ｓ２３）。さらに、光ディスク装置型ラベル面描画技術で使用するステッパ７の単位ステップピッチｎ分だけ、ステッパ７を駆動し（Ｓ２４）、キャリッジ５を移動する。キャリッジ５が移動した直後は対物レンズ４が振動しているため、対物レンズ４の振動が収まる程度の時間分だけウエイトを入れる。その後、トラッキング制御をＯＮにし（Ｓ２５）、スチル状態にする（Ｓ２６）。このとき、スチル状態でのトラッキングアクチュエータ駆動量のＤＣ成分（以下トラッキング低域駆動量Ｖと表記）を測定する（Ｓ２７）。ここで、対物レンズ４がメカ的中立位置付近に位置するかどうかを、トラッキング低域駆動量Ｖで判別する（Ｓ２８）。トラッキング低域駆動量Ｖが、予め決められた閾値以内にあれば、対物レンズ４がメカ中立位置に存在すると判別する。もしトラッキング低域駆動量Ｖが閾値を超えていて、対物レンズ４がメカ的中立位置から離れていると判別された場合には、トラッキング低域駆動量Ｖが閾値以内になるまでトラックジャンプ動作を実行して（Ｓ２９）、できるだけ対物レンズ４がメカ的中立位置に近くなるようにする。このときの状態を表す、図５（ｂ）の第２のアドレスにおけるキャリッジ位置を、第２のディスク半径位置ｒ２とする。
【００８４】
対物レンズ４がメカ的中立位置に達したら、アドレスリードを実行し、アドレスから第２のディスク半径位置ｒ２を演算する（Ｓ３０）。演算された第２のディスク半径位置ｒ２は、一時的に記憶手段に保存する。
【００８５】
第１のディスク半径位置ｒ１、第２のディスク半径位置ｒ２が測定されたら、第１のディスク半径位置から第２のディスク半径位置までの距離Δｒを以下のように計算する。
【００８６】
Δｒ＝ｒ２−ｒ１
この第１、第２のディスク半径間の距離Δｒが、ステッパ７の単位ステップ駆動によるキャリッジ５の移動量Ｓに相当し、
Ｓ＝Δｒ
となる（Ｓ３１）。
【００８７】
以降同様に、キャリッジ５の位置が予め決められた測定半径位置の最外周になるまで、ステッパ７の単位ステップ駆動によるキャリッジ５の移動量Ｓを測定していく。そして、キャリッジ５が、測定半径位置の最外周に達した場合、または移動量Ｓが予め決められた閾値以内に無い場合には、ＯＫ、ＮＧ判定を行う（Ｓ３２）。全測定範囲に渡り、移動量Ｓが精度不足することがなかった場合にはＯＫ品として判定し（Ｓ３４）、また移動量Ｓが予め決められた閾値以内に無い場合には、ステッパ７の駆動によるキャリッジ５の移動精度が不足しているとみなし、ＮＧ品として判定し（Ｓ３５）、検査を終了する（Ｓ３６）。
【００８８】
なお、本実施の形態では、１回でも移動量Ｓの精度が不足していた場合にはＮＧとなるよう判別しているが、例えば移動量Ｓの精度が不足しているステップをある回数まで許容する場合、その許容回数に達するまで移動量Ｓの測定、精度判別を繰り返すようにしても良い。
【００８９】
このように、本発明によれば、光ディスク装置が具備するステッパの、光ディスク装置のキャリッジがディスク内周から外周にわたりステップ移動する長距離間の各ステップ精度を、特に設備を追加することなく、連続的に高精度に測定することを可能とし、ステッパの移動精度の高いものを選別することを可能とする。
【００９０】
以上の内容により、制御手段が、所定の電圧を加えてキャリッジを移動させつつ光ディスクにレーザ光を照射させ、光ディスクからの反射光からキャリッジの移動始点である第１のアドレス情報と移動終点である第２のアドレス情報を読込み、第１のアドレス情報に対応する位置までの光ディスクの半径距離と第２のアドレス情報に対応する位置までの光ディスクの半径距離との差分から、所定の電圧を加えた際にキャリッジが実際に移動した距離を算出することによって、新たにキャリッジの移動量を直接検知する検知手段を追加することなく検出するので、部品点数を増やすことなく、キャリッジの移動量を容易な構成で検出できる。
【産業上の利用可能性】
【００９１】
本発明は、簡便に低コストで、トラッキングアクチュエータをオープン制御で駆動する際にトラッキングアクチュエータが高精度に移動することが可能で、また、ステッパの長距離間の各ステップ精度を高精度に測定することが可能であるため、ラベル面描画機能付光ディスク装置などに適応可能である。
【図面の簡単な説明】
【００９２】
【図１】本発明の実施の形態１におけるトラッキングアクチュエータ駆動回路の構成を示す図
【図２】本発明の実施の形態１におけるトラッキングアクチュエータ駆動によるトラック移動を示す図
【図３】本発明の実施の形態１におけるトラック移動前後のトラック駆動量変化を示す図
【図４】本発明の実施の形態１におけるトラック移動感度調整のフローチャート
【図５】本発明の実施の形態２におけるステッパ駆動前後のキャリッジ位置を示す図
【図６】本発明の実施の形態２におけるステッパ移動精度検査のフローチャート
【図７】従来の光ディスク装置のトラッキング制御系の構成を示す図
【符号の説明】
【００９３】
１    光ディスク
２    スピンドルモータ
３    トラッキングアクチュエータ
４    対物レンズ
５    キャリッジ
６    レーザ光
７    ステッパ
８    トラッキングアクチュエータ移動感度調整係数記憶手段
９    ＣＰＵ
１０    トラッキング移動量指令手段
１１    トラッキングアクチュエータ移動感度調整係数
１２    トラッキング制御手段
１３    トラッキング駆動手段
１４    ステッパ制御手段
１５    ステッパ駆動手段
１６    トラッキング誤差信号生成手段
【図１】
2008262625.tif 000003
【図２】
2008262625.tif 000004
【図３】
2008262625.tif 000005
【図４】
2008262625.tif 000006
【図５】
2008262625.tif 000007
【図６】
2008262625.tif 000008
【図７】
2008262625.tif 000009